(57)【要約】  本発明は洗濯機の洗剤供給装置に関するもので、本発明の洗濯機の洗剤供給装置は、キャビネット１と、キャビネット内に回転可能に設置されたドラム４と、ドラムの外側に固定されるように設置されたタブ３を備える洗濯機に洗剤を供給する装置である。吸水管：給水管と連結されている給水口１４１を通して水を供給される複数の貯水用プール（１０４〜１０６）と、貯水用プールの片側に複数個のオーバーフロー隔壁体（１０８〜１１０）によって分離するように形成されて洗剤が収容される複数個の洗剤用プール（１０１〜１０３）と、各洗剤用プールの流路端部に形成された排水口１０７とで構成されて、貯水用プール（１０４〜１０６）に供給された水が各オーバーフロー隔壁体（１０８〜１１０）を通り越して洗剤用プール（１０１〜１０３）に供給されたて排水口１０７を通して排出されるように構成された洗剤ポケット１００；及び一端が洗剤ポケットの排水口に繋がれ、他端が洗濯機のタブに連結されているように設置されて排水口を通して排出される洗剤及び洗濯水をタブ内に案内する洗剤排出管２５を備える。
2005514133.tif 000002
【特許請求の範囲】
【請求項１】
キャビネットと、キャビネット内に回転可能に設置されたドラムと、上記ドラムの外側に固定されるように設置されたタブを備える洗濯機に洗剤を供給する装置において、
水を供給する給水管、
上記給水管に連結されている給水口を通して水が供給される貯水用プールと、上記貯水用プールの片側にオーバーフロー隔壁体によって分離するように形成されて洗剤が収容される洗剤用プールと、上記洗剤用プールの流路端部に形成された排水口とで構成され、上記貯水用プールに供給された水がオーバーフロー隔壁体を越えて溢れて洗剤用プールに供給された後、排水口を通して排出されるように構成された洗剤ポケット、
一端が上記洗剤ポケットの排水口に繋がれて他端が洗濯機のタブに連結され、排水口を通して排出される洗剤と洗濯水をタブ内に案内する洗剤排出管
を備える洗濯機の洗剤供給装置。
【請求項２】
上記洗剤ポケットは洗濯機キャビネットの上端面に外部で開放されるように設置された請求項１に記載の洗濯機の洗剤供給装置。
【請求項３】
上記洗剤ポケットを開閉する蓋を更に備える請求項２に記載の洗濯機の洗剤供給装置。
【請求項４】
上記蓋はキャビネットの上端面に回転可能に設置され、洗剤ポケットを開閉するようになった請求項３に記載の洗濯機の洗剤供給装置。
【請求項５】
上記洗剤ポケットの上縁を取り囲むように設置され、上記蓋が回転可能に結合される蓋フレームを更に備える請求項４に記載の洗濯機の洗剤供給装置。
【請求項６】
上記蓋の片側に設置された取っ手を更に備える請求項３ないし請求項５の何れか記載の洗濯機の洗剤供給装置。
【請求項７】
上記蓋が洗剤ポケットを閉鎖した状態で蓋を固定させる固定装置を更に備える請求項３または４に記載の洗濯機の洗剤供給装置。
【請求項８】
上記蓋が洗剤ポケットを閉鎖した状態で蓋を固定させる固定装置を更に備える請求項５に記載の洗濯機の洗剤供給装置。
【請求項９】
上記固定装置は蓋の片側の縁部に設置された第１結合突起と、上記蓋フレームに設置されて上記結合突起に対応して着脱可能に結合する第２結合突起とで構成された請求項８に記載の洗濯機の洗剤供給装置。
【請求項１０】
上記固定装置は蓋の片側に設置された第１磁性体と、上記蓋フレームに設置されて上記第１磁性体と対応して結合する第２磁性体で構成された請求項８に記載の洗濯機の洗剤供給装置。
【請求項１１】
洗剤ポケットのオーバーフロー隔壁体の上縁に複数のスリット溝が形成された請求項１に記載の洗濯機の洗剤供給装置。
【請求項１２】
上記オーバーフロー隔壁体に上縁から下まで入れられた残水排出用スリット溝が形成された請求項１に記載の洗濯機の洗剤供給装置。
【請求項１３】
上記洗剤ポケットのオーバーフロー隔壁体の上縁と所定の間隔を維持して上記貯水用プールの上部を覆うように設置されるプールカバーを更に備える請求項１に記載の洗濯機の洗剤供給装置。
【請求項１４】
上記貯水用プールの底面から突出するように設置され、給水口を通して入ってくる水を上または側に分散させる分散リブを更に備える請求項１に記載の洗濯機の洗剤供給装置。
【請求項１５】
上記分散リブはＬ字状に形成された請求項１４に記載の洗濯機の洗剤供給装置。
【請求項１６】
上記洗剤ポケットの排水口に設置された網形態の濾過部材を更に備える請求項１に記載の洗濯機の洗剤供給装置。
【請求項１７】
上記洗剤用プールが複数に分割形成されている請求項１に記載の洗濯機の洗剤供給装置。
【請求項１８】
上記貯水用プールは供給された水を上記各洗剤用プールに分離して供給するように複数の遮蔽版によって複数に分離するように区切られた請求項１７に記載の洗濯機の洗剤供給装置。
【請求項１９】
上記洗剤用プールは洗剤ポケットの排水口を基準としてその反対側から順次に第１洗剤用プール、第２洗剤用プール、第３洗剤用プールの３部分に分離するように区切られた請求項１７に記載の洗濯機の洗剤供給装置。
【請求項２０】
上記第１洗剤用プールと第２洗剤用プールはＵ字状からなる２個のオーバーフロー隔壁体によって、それぞれＵ字状の流路を成し、上記貯水用プールは貯水用プールの一端から各オーバーフロー隔壁体の端部に延長された複数の遮蔽版によって第１洗剤用プールに対応する第１貯水用プールと、第２洗剤用プールに対応する第２貯水用プールと、第３洗剤用プールに対応する第３貯水用プールに分離するように区切られた請求項１９に記載の洗濯機の洗剤供給装置。
【請求項２１】
各オーバーフロー隔壁体の上縁に複数のスリット溝が形成された請求項１７ないし２０のいずれか記載の洗濯機の洗剤供給装置。
【請求項２２】
各オーバーフロー隔壁体に上縁から下まで入れられた残水排出用スリット溝が形成された請求項１７ないし２０のいずれか記載の洗濯機の洗剤供給装置。
【請求項２３】
各貯水用プールの底面から突出するように設置されて給水口を通して入ってくる水を、上または側に分散させる分散リブを更に備える請求項１７ないし２０のいずれか記載の洗濯機の洗剤供給装置。
【請求項２４】
上記分散リブはＬ字状に形成された請求項２３に記載の洗濯機の洗剤供給装置。
【請求項２５】
洗剤ポケットの排水口に設置された網形態の濾過部材を更に備える請求項１７ないし２０のいずれか記載の洗濯機の洗剤供給装置。
【請求項２６】
上記洗剤ポケットの各オーバーフロー隔壁体の上縁と所定の間隔を維持し、上記第１、２、３貯水用プールの上部を覆うように設置されるプールカバーを更に備える請求項２０に記載の洗濯機の洗剤供給装置。
【請求項２７】
上記プールカバーの底面に各遮蔽板の上縁に溶着する溶着リブが形成された請求項２６に記載の洗濯機の洗剤供給装置。
【請求項２８】
上記プールカバーの底面には各貯水用プールから各洗剤用プールに供給される水が飛散しないように、オーバーフロー隔壁体と接した部分に飛散防止用リブが突き出るように形成された請求項２６または２７に記載の洗濯機の洗剤供給装置。
【請求項２９】
上記飛散防止用リブはその下端部がオーバーフロー隔壁体の上縁より高い位置になるように突き出した請求項２８に記載の洗濯機の洗剤供給装置。
【請求項３０】
上記飛散防止用リブはその下端部がオーバーフロー隔壁体の上縁より低い位置になるように突き出した請求項２８に記載の洗濯機の洗剤供給装置。
【請求項３１】
洗剤用プールの底面部に設置されて洗剤が集まる部位に流路を転換させる流路転換突起を更に備える請求項１及び１７ないし２０のいずれか記載の洗濯機の洗剤供給装置。
【請求項３２】
上記第１洗剤用プールの流路端部は第２洗剤用プールの流路端部より高くなった請求項２０に記載の洗濯機の洗剤供給装置。
【請求項３３】
洗剤ポケットを開閉する蓋を更に備える請求項２０に記載の洗濯機の洗剤供給装置。
【請求項３４】
上記蓋はキャビネットの上端に回転可能に設置されて洗剤ポケットを開閉する請求項３３に記載の洗濯機の洗剤供給装置。
【請求項３５】
洗剤ポケットの上縁を取り囲むように設置されて、上記蓋が回転可能に結合される蓋フレームを更に備える請求項３４に記載の洗濯機の洗剤供給装置。
【請求項３６】
上記蓋の片側に設置された取っ手を更に備える請求項３３ないし３５のいずれかに記載の洗濯機の洗剤供給装置。
【請求項３７】
上記蓋が洗剤ポケットを閉鎖した状態で蓋を固定させる固定装置を更に備える請求項３３または３４に記載の洗濯機の洗剤供給装置。
【請求項３８】
上記蓋が洗剤ポケットを閉鎖した状態で蓋を固定させる固定装置を更に備える請求項３５に記載の洗濯機の洗剤供給装置。
【請求項３９】
上記固定装置は蓋の片側の縁部に設置された第１結合突起と、上記蓋フレームに設置されて上記結合突起と対応して着脱可能に結合される第２結合突起からなる請求項３８に記載の洗濯機の洗剤供給装置。
【請求項４０】
上記固定装置は蓋の片側縁部に設置された第１磁性体と、上記蓋フレームに設置されて上記第１磁性体と対応して結合する第２磁性体からなる請求項３８に記載の洗濯機の洗剤供給装置。
【請求項４１】
洗剤用プールの片側に一体に形成されたボックス安置部と、上記ボックス安置部に設置される別の分離可能な洗濯補助剤供給ボックスを更に備える請求項１及び１７ないし２０の何れか記載の洗濯機の洗剤供給装置。
【請求項４２】
上記洗濯補助剤供給ボックスは上端面が開放された本体と、上記本体の片側に設置されて本体内部に供給された水と洗剤を排出させる排出部材と、上記本体を洗剤用プール上で固定させるための位置固定手段を備える請求項４１に記載の洗濯機の洗剤供給装置。
【請求項４３】
上記排出部材は本体内部の片側隅に設置されるサイホン管及びサイホンカバーからなる請求項４２に記載の洗濯機の洗剤供給装置。
【請求項４４】
上記洗濯補助剤供給ボックスとボックス安置部との間に所定の間隔が発生するようにボックス安置部に洗濯補助剤供給ボックスの底面部が設置される端突起部が突き出るように形成された請求項４１に記載の洗濯機の洗剤供給装置。
【請求項４５】
上記位置固定手段は、洗剤用プールの底面部に突き出るように形成された固定突起と、上記ボックスの本体底面部に凹んで形成されて上記固定突起に挿入される挿入溝部からなる請求項４２に記載の洗濯機の洗剤供給装置。
【請求項４６】
上記支持突起の幅は上記挿入溝部の幅より小さい請求項４５に記載の洗濯機の洗剤供給装置。
【請求項４７】
上記位置固定手段は、本体の片側に傾斜して形成された第１傾斜部と、上記洗剤用プールの一面に上記第１傾斜部に対応して第１傾斜部に密着する第２傾斜部を更に備える請求項４５に記載の洗濯機の洗剤供給装置。
【請求項４８】
上記排出部材の位置はボックス安置部の外側に位置する請求項４２に記載の洗濯機の洗剤供給装置。
【請求項４９】
上記本体の底面部は、排出部材の方に下向き傾斜して形成された請求項４２に記載の洗濯機の洗剤供給装置。
【請求項５０】
上記本体の底面部の排出部材の反対側に傾斜補正用リブが外側に下向き突き出て形成された請求項４９に記載の洗濯機の洗剤供給装置。
【請求項５１】
上記本体の底面部はボックス安置部と並ぶように水平に形成された請求項４２に記載の洗濯機の洗剤供給装置。
【請求項５２】
上記本体内部は区画板によって２分割され、各分割された本体内部にそれぞれ排出部材が分離するように構成された請求項４２に記載の洗濯機の洗剤供給装置。
【請求項５３】
上記区画板は本体の高さより高く形成された請求項５２に記載の洗濯機の洗剤供給装置。
【請求項５４】
洗剤ポケットの上縁を取り囲むように蓋フレームが設置されて、上記蓋フレームに上記本体が回転する時、区画板の先端の縁がかかって支持されるように掛止リブが下方へ突き出して形成された請求項５３に記載の洗濯機の洗剤供給装置。
【請求項５５】
蓋の片側の縁にヒンジ軸部が設置されて、上記蓋フレームに上記ヒンジ軸部が回転可能に挿入設置されるヒンジ収容部が設置された請求項５または３５に記載の洗濯機の洗剤供給装置。
【請求項５６】
上記蓋フレームの開放部を横切るように複数の補強フレームが形成された請求項５または３５に記載の洗濯機の洗剤供給装置。
【請求項５７】
上記補強フレームは、その断面形状が下方へ行くほど幅が広くなる請求項５６に記載の洗濯機の洗剤供給装置。
【請求項５８】
洗剤ポケットの片側コーナ部に、貯水用プールと洗剤用プールとから隔壁体によって分離されるように形成された凝縮用プールと、一端がタブに繋がれ、他端が上記凝縮用プールに繋がれてタブ内の空気を凝縮用プールに案内する案内配管を更に備える請求項１及び１７ないし２０の何れか記載の洗濯機の洗剤供給装置。
【請求項５９】
上記案内配管は、洗剤ポケットの片側部または洗剤ポケットが設置されたキャビネット上部の片側に固定される連結管と、一端がタブに繋がれて他端が上記連結管に連結されている通風ベローズ管と、一端が上記連結管を媒介に上記通風ベローズ管に繋がれて、他端が上記凝縮用プールに連結されている通気管からなる請求項５８に記載の洗濯機の洗剤供給装置。
【請求項６０】
上記通気管は、逆Ｕ字状に形成された請求項５９に記載の洗濯機の洗剤供給装置。
【請求項６１】
上記通気管を洗剤ポケットの片側の角に固定されるように支持する一対の固定片を更に備える請求項６０に記載の洗濯機の洗剤供給装置。
【請求項６２】
凝縮用プールに貯蔵された水が溢れて洗剤用プールに排出されるように凝縮用プールと洗剤用プールとの間に連通路が形成された請求項５８に記載の洗濯機の洗剤供給装置。
【請求項６３】
上記隔壁体の上端に給水用スリット溝が形成された請求項５８に記載の洗濯機の洗剤供給装置。
【請求項６４】
洗剤ポケットの片側で洗剤用プールに液体洗剤を自動的に供給する液体洗剤供給手段を更に備える請求項１及び１７ないし２０の何れか記載の洗濯機の洗剤供給装置。
【請求項６５】
上記液体洗剤供給部は洗剤ポケットの下部から洗剤用プールに液体洗剤を供給する請求項６４に記載の洗濯機の洗剤供給装置。
【請求項６６】
液体洗剤供給手段は、洗剤用プールの底面に形成された供給ホールと、液体洗剤が貯蔵される液体洗剤貯蔵タンクと、液体洗剤貯蔵タンクの液体洗剤を上記供給ホールにポンピングするポンプと、上記供給ホールとポンプを連結する連結管と、上記連結管に設置されて洗剤用プールから供給ホール下側への流動を制限する逆止弁を備える請求項６５に記載の洗濯機の洗剤供給装置。
【請求項６７】
上記逆止弁は連結管内に挿入設置される中空の円筒状のバルブボディーと、上記バルブボディーの中空部内に上下に移動可能に設置され、バルブボディーの中空部の上端を開閉するバルブ部と、上記バルブ部に下方へ向かう弾性力を与えてバルブ部を弾性的に支持する弾性部材を備える請求項６６に記載の洗濯機の洗剤供給装置。
【請求項６８】
上記洗剤ポケット下部で連結管を固定するように支持する固定手段を更に備える請求項６６に記載の洗濯機の洗剤供給装置。
【請求項６９】
上記固定手段は洗剤ポケット下部に形成された締結用ボスと、上記連結管の外周面に外側に突き出るように形成され、上記締結用ボスに対応する締結孔が形成された固定板と、上記固定板の締結孔及び締結用ボスを通して締結されるボルトからなる請求項６８に記載の洗濯機の洗剤供給装置。
【発明の詳細な説明】
【技術分野】
【０００１】
本発明は洗濯機で洗剤を供給する装置に関するもので、特に洗剤ポケットに給水される水が洗剤ポケットの壁面に沿ってオーバーフロー式に洗い落としながらタブ内に洗剤を供給する洗濯機の洗剤供給装置に関するものである。
【背景技術】
【０００２】
一般的に洗濯機は洗剤と水の作用を利用して衣服、寝具などに付いている汚れを落とすように洗濯、濯ぎ、脱水の過程を通じて洗濯物を洗浄する装置である。
【０００３】
従来は、洗濯機のドラム内部に洗剤を直接入れる場合、適正量を投入しにくく、洗濯物が変色するなどの問題があったため、別途の洗剤供給装置を洗濯機上部に設け、給水される水とともに洗剤がタブに入れられるようにしていた。
【０００４】
このような従来の洗剤供給装置は洗剤ポケットの上側に設けた水噴射ホールを通じてシャワー式または水噴射式に水を噴射させ、その噴射された水が洗剤ポケットに貯蔵された洗剤と一緒になって、タブ内に送り込まれる。
【０００５】
ところが、このような従来の洗剤供給装置は洗剤ポケットに給水される水がシャワー式または直接噴射式で噴射されるので、洗剤ポケットの壁面または隅に洗剤が一部残り、定量の洗剤を洗濯に使用することができず、また、給水された水が洗剤とともにはねて、洗剤ポケットの周辺を汚すという問題があった。
【０００６】
さらに、従来の洗剤供給装置は、洗剤投入のために洗剤ポケットを洗濯機の上部に引き出し式で引き出してから押し入れるように構成されており、水を供給されて噴射する部分と洗剤を供給する部分が分離しているので、構成が複雑であるという問題もあった。
【発明の開示】
【発明が解決しようとする課題】
【０００７】
本発明は上記のような従来の洗剤供給装置の問題点を解決するためになされたもので、本発明の目的は、簡単な構成からなり、定量の洗剤を供給すると共に周辺を清潔に保てる洗濯機の洗剤供給装置を提供するものである。
【課題を解決するための手段】
【０００８】
上記のような目的を果たすための本発明の洗濯機の洗剤供給装置は、キャビネットと、キャビネット内に回転可能に設置されたドラムと、上記ドラムの外側に固定されるように設置されたタブを備える洗濯機に洗剤を供給する装置において、給水管；上記給水管に連結されている給水口を通じて水が供給される貯水用プールと、上記貯水用プールの片側にオーバーフロー隔壁体によって分離するように形成されて洗剤が収容される洗剤用プールと、上記洗剤用プールの流路端部に形成された排水口とで構成され、上記貯水用プールに供給された水がオーバーフロー隔壁を越えて溢れて各洗剤用プールに供給された後、排水口を通じて排出されるように構成された洗剤ポケット；及び一端が上記洗剤ポケットの排水口に繋がれて他端が洗濯機のタブに連結され、排水口を通じて排出される洗剤と洗濯水をタブ内に案内する洗剤排出管を備える洗濯機の洗剤供給装置を提供する。
【０００９】
本発明の一態様によれば、上記洗剤用プールは、洗剤ポケットの排水口を基準として反対側から順番に第１洗剤用プールと、第２洗剤用プール、第３洗剤用プールの３部分に分割され各洗剤用プールに水を分離供給するように構成されている。
【００１０】
本発明の洗濯機の洗剤供給装置は、上記第１洗剤用プールと第２洗剤用プールがＵ字状からなる２個のオーバーフロー隔壁体によって、それぞれＵ字状の流路を形成し、上記貯水用プールは貯水用プールの一端から各オーバーフロー隔壁体の端部に延長された複数の遮蔽版によって第１洗剤用プールに対応する第１貯水用プールと第２洗剤用プールに対応する第２貯水用プールと第３洗剤用プールに対応する第３貯水用プールに分離するように区切られたことを特徴とする。
【００１１】
このような本発明によれば、上記各貯水用プールに水が１次的に供給され、貯水用プールに供給された水がオーバーフロー隔壁体を越えて溢れて各洗剤用プールに供給されることで、洗剤をタブの方に排出させるので給水された水がはねることなく洗剤を供給することができ、これによって定量洗剤の使用が可能になる。
【００１２】
また、本発明の他の態様によれば、上記洗剤用プールの一部と一体にボックス安置部が形成されて、上記ボックス安置部に別の分離可能な洗濯補助剤供給ボックスが設置されて、上記洗濯補助剤供給ボックスに柔軟剤または漂白剤などの洗濯補助剤を供給するようになっている。
【００１３】
本発明のさらに他の態様によれば、洗剤ポケットの片側コーナ部に凝縮用プールが隔壁体によって貯水用プールと洗剤用プールとから分離するように形成されて、上記凝縮用プールには一端がタブに繋がれてタブ内の空気を凝縮用プールに案内する案内配管の他端が連結されている。
【００１４】
これによれば、タブ内の空気が上記案内配管を通じて洗剤ポケットの凝縮用プールに排出されるので、タブへの水または洗剤供給が円滑になされるという利点を得ることができる。
【００１５】
本発明のさらに他の態様によれば、洗剤ポケットの片側の洗剤用プールに液体洗剤を自動で供給する液体洗剤供給手段を備え、この液体洗剤供給手段は洗剤用プールの底面に形成された供給ホールと、液体洗剤が貯蔵される液体洗剤貯蔵タンクと、液体洗剤貯蔵タンクの液体洗剤を上記供給ホールにポンピングするポンプと、上記供給ホールとポンプを連結する連結管と、上記連結管に設置されて洗剤用プールから供給ホール下側への流動を制限する逆止弁を備えることを特徴とする。
【００１６】
このような本発明によれば、洗剤供給装置の洗剤ポケットに液体供給を円滑で、容易に遂行することができる利点を得ることができる。
【発明を実施するための最良の形態】
【００１７】
以下、上記目的を具体的に実現することができる本発明の望ましい実施形態を添付した図面を参照して説明する。
【００１８】
本実施形態を説明するにあたり、同一構成に対しては同一名称及び同一符号を使用することで、重複した説明は省略する。
【００１９】
図１と図２は、本発明による洗剤供給装置が適用された洗濯機の構造を示した図で、洗濯機のキャビネット１の前面部中央に洗濯物の出し入れのためのドア６が回動可能に装着されており、そのキャビネット１の内側に洗濯水を蓄えるタブ３がダンパ（図示せず）及びスプリング（図示せず）によって支持されている。さらに、上記タブ３の内部に洗濯物を収容するドラム４が回転可能に配置されて、キャビネット１内の後方部に上記ドラム４を回転させる駆動モーター５が設置されている。
【００２０】
上記キャビネット１の上端面を成し、その一部、後方部に洗濯機の運転操作のためのコントロールパネル８が設けられたトッププレート２に、給水された洗濯水を粉末洗剤または柔軟剤などと混合して排出する洗剤ポケット１００とその洗剤ポケット１００を開閉する蓋５０が設置されている。この洗剤ポケット１００には、洗剤ポケット１００に洗濯水を供給する給水管２１と、洗剤ポケット１００で混合して排出される洗剤や洗濯水をタブ３の内部に案内するインレッドベローズ管２５が連結されている。
【００２１】
図３ないし図１０は本発明による洗剤供給装置の一実施形態を詳しく示した図であって、上端面が開放されたボックス形態の洗剤ポケット１００の片側に２個の一直線形遮蔽板（１１１、１１２）によって第１貯水用プール１０４、第２貯水用プール１０５、第３貯水用プール１０６が分離するように区切られている。各貯水用プール（１０４、１０５、１０６）の後方側にはほぼＵ字状に形成された２個のオーバーフロー隔壁体（１０８、１０９）及び直線型のオーバーフロー隔壁体１１０によって主洗剤用プール１０１と予備洗剤用プール１０２及び洗濯補助剤用プール１０３が分割形成されている。各洗剤用プール（１０１、１０２、１０３）の流路の端部は、洗剤ポケット１００の片側に形成された排水口１０７の方に集まっている。上記排水口１０７は上記インレッドベローズ管２５に繋がれていて、排出される水と洗剤から異物をフィルタリングできるように網形態の供給ホール部材が設置される。
【００２２】
主洗剤用プール１０１の流路端部は予備洗剤用プール１０２の流路端部より高くなるように端突起部１３１が形成されている。これは予備洗剤用プール１０２を通じて排出される水と洗剤が主洗剤用プール１０１の方に逆流しないようにするためである。
【００２３】
上記した第１、２、３貯水用プール（１０４、１０５、１０６）はそれぞれ給水管２１に繋がれて個別的に水を供給されるように構成されることが望ましい。
【００２４】
第１、２、３貯水用プール（１０４、１０５、１０６）の各底面にはＬ字状の分散リブ（１１４、１１５、１１６）が突出するように形成されて、給水口１４１を通して供給される水を左右及び上下に分散させ、主洗剤用プール１０１、予備洗剤用プール１０２、洗濯補助剤用プール１０３内に渦流が発生するのを防いでいる。
【００２５】
各オーバーフロー隔壁体（１０８、１０９、１１０）の上縁部に低水圧の水が供給される場合にもオーバーフロー隔壁体（１０８、１０９、１１０）後方の各洗剤用プール（１０１、１０２、１０３）に水が容易に供給できるように所定の深みをもった複数個のスリット溝（１２１、１２２、１２８）が形成されている。
【００２６】
これと共に、上記オーバーフロー隔壁体（１０８、１０９）の一端部には各貯水用プール（１０４、１０５）の残水が主洗剤用プール１０１及び予備洗剤用プール１０２に全部排出されるように上端から下端まで切開された残水排出用スリット溝（１２６、１２７）が形成されている。
【００２７】
直線型のオーバーフロー隔壁体１１０に形成されたスリット溝１２８は、上端から下端まですべてに入れられていて、残水排出の機能も兼ねている。
【００２８】
そして、予備洗剤用プール１０２の流路端部の片側には洗剤が集まる部位（Ａ）に流路を転換させる流路転換突起１３０が形成される。この上記流路転換突起１３０は上記予備洗剤用プール１０２を形成するオーバーフロー隔壁体１０９との間に隙間（ｔ）を形成させることが望ましく、これは流路転換突起１３０に残存する洗剤が洗い流されるようにするためである。
【００２９】
一方、本発明の洗剤供給装置は上記各貯水用プール（１０４、１０５、１０６）を覆うプールカバー１５０を更に備えている。本プールカバー１５０はその底面部に上記各遮蔽板（１１１、１１２）の上縁に溶着する溶着リブ１５２が形成されており、第１、２、３貯水用プール（１０４、１０５、１０６）及び各洗剤用プール（１０１、１０２、１０３）を完全に分離することで横に配置されている他の貯水用プールや洗剤用プールで水または洗剤が混入されることを防止するようにしている。
【００３０】
また、上記プールカバー１５０の底面には上記各貯水用プール（１０４、１０５、１０６）の水がオーバーフロー隔壁体（１０８、１０９、１１０）に沿って溢れず、オーバーフロー隔壁体（１０８、１０９、１１０）の上側に飛散するのを防ぐための飛散防止用リブ１５６が形成されている。
【００３１】
上記飛散防止用リブ１５６は、オーバーフロー隔壁体（１０８、１０９、１１０）より高い位置に突き出し、分散リブ（１１４、１１５、１１６）にぶつかって上にはね上がった後、プールカバー１５０の底面に沿って移動する水が各洗剤用プール（１０１、１０２、１０３）に直接落ちるのを防止する。
【００３２】
一方、図１１は本発明による洗剤供給装置の他の実施形態を示したもので、この実施形態ではプールカバー２５０の飛散防止用リブ２５６の先端がオーバーフロー隔壁体１０８の上端部より低い位置にまで達するように突き出し、貯水用プール１０４ではねた水がプールカバー２５０の底面に沿って移動することを完璧に防ぐようにしている。
【００３３】
上記のように構成された本発明の洗剤供給装置の作用は次の通りである。
先に、予備洗濯を行う場合、給水口１４１を通して第２貯水用プール１０５に水を給水する。給水された水は分散リブ１１５によって両側と上部方向に広がりながら第２貯水用プール１０５に貯蔵される。
【００３４】
第２貯水用プール１０５に貯蔵された水が所定量を超えると、貯蔵された水は上記オーバーフロー隔壁体１０９に沿って溢れながら予備洗剤用プール１０２に流入した後、予備洗剤用プール１０２に貯蔵された洗剤と共にオーバーフロー隔壁体の壁面に沿って後方の排水口１０７の方に流れてゆく。
【００３５】
この時、上記排水口１０７に向けて流される水は、主洗剤用プール１０１の流路端部が形成された端突起部１３１によって主洗剤用プール１０１には逆流しない。流路転換突起１３０は、排水口１０７に排出される前に、洗剤と共に洗い流される水の一部を洗剤がかたまる部位（Ａ）に案内する。
【００３６】
上記排水口１０７から排出された水と洗剤は、インレッドベローズ管２５に沿ってタブ（３；図２参照）内に案内されて洗濯物の予備洗濯に使われる。
【００３７】
予備洗濯が終わった後、本洗濯を行うとき、給水口１４１を通して第１貯水用プール１０４に水が供給され、供給された水は分散リブ１１４によって両側及び上部方向に広がりながら第１貯水用プール１０４に貯蔵される。
【００３８】
第１貯水用プール１０４に貯蔵された水が所定量を超えれば、貯蔵された水はオーバーフロー隔壁体１０８に沿って溢れながら、主洗剤用プール１０１に貯蔵された洗剤とともに排水口１０７に流され、インレッドベローズ管２５を通して流れタブ３の内に貯蔵される。
【００３９】
そのとき、柔軟剤または漂白剤などの洗濯補助剤を供給するときには、給水口１４１を通して第３貯水用プール１０６に水が供給され、供給された水は分散リブ１１６によって広がりながら第３貯水用プール１０６に貯蔵される。
【００４０】
上記第３貯水用プール１０６に貯蔵された水が所定量以上になれば、水はオーバーフロー隔壁体１１０に沿って溢れながら洗濯補助剤用プール１０３に供給され、洗濯補助剤用プール１０３に貯蔵された柔軟剤または漂白剤とともに排水口１０７を通して排出される。
【００４１】
各給水口１４１を通して各貯水用プール（１０４、１０５、１０６）に水が供給される時、低水圧の水が供給されてもそれぞれのオーバーフロー隔壁体（１０８、１０９、１１０）の上縁に形成されたスリット溝（１２１、１２２、１２８）によって供給された水が確実に洗剤用プール（１０１、１０２、１０３）に供給される。
【００４２】
また、各オーバーフロー隔壁体（１０８、１０９、１１０）に形成された残水排出用スリット溝（１２６、１２７）やスリット溝１２８によって各貯水用プール（１０４、１０５、１０６）内の残水が各洗剤用プール（１０１、１０２、１０３）から完全に排出されるので、洗濯機の長期不使用の時、貯水用プール内の残水が腐ることを防止することができ、貯水用プール内の残水による洗剤ポケットの凍結を防止することができる。
【００４３】
図１２と図１３は本発明による洗剤供給装置の他の実施形態を示したものである。この実施形態の洗剤供給装置は、タブ（３；図２参照）内の空気を洗剤ポケット１００を通して排出させることで洗濯水供給によるタブ３の内の圧力が上がるのを防いで、これによってタブ３の内に洗濯水や洗剤を円滑に供給できるように構成したものである。
【００４４】
具体的に説明する。図１２と図１３に図示されたように、洗剤ポケット１００の片側のコーナ部、すなわち、主洗剤用プール１０１の片側に隔壁体２１２によって分離するように区切られた凝縮用プール２１０と主洗剤用プール１０１との間に、上記凝縮用プール２１０に貯蔵された水が主洗剤用プール１０１に流れ込む連通路２１１が形成され、凝縮用プール２１０に所定量以上の凝縮用水が貯蔵されれば、連通路２１１を通して主洗剤用プール１０１に排水されるようになっている。隔壁体２１２には第１貯水用プール１０４に供給された水が凝縮用プール２１０に入り込むことができる給水用スリット２１３が形成されている。
【００４５】
洗剤ポケット１００の凝縮用プール２１０が形成されている箇所の外側面に連結具２０１が固定されており、この連結具２０１の下端には一端がタブ３に繋がれた通風ベローズ２０２の他端部が繋がれている。連結具２０１の上端には上記通風ベローズ２０２を通して流れる空気を凝縮用プール２１０に案内する通気管２０３の一端が繋がれている。通気管２０３は逆Ｕ字状に形成されてその先端部が凝縮用プール２１０のすぐ上側に位置している。
【００４６】
通気管２０３を洗剤ポケット１００に固定した状態で維持するために、通気管２０３の中央部に２個の挿入突起２０４が形成され、挿入突起２０４の間に洗剤ポケット１００の隅部分を挟んで結合している。
【００４７】
したがって、洗濯または濯ぎのための給水時には、前述のように給水口１４１を通して給水される水が上記各貯水用プール（１０４、１０５、１０６）から各洗剤用プール（１０１、１０２、１０３）にあふれ出て、洗剤と混ざって排水口１０７に排出されると同時に、凝縮用プール２１０には凝縮用貯蔵水（Ｗ）が貯蔵される。排水口１０７を通して排出される水と洗剤はインレッドベローズ管２５を通してタブ３の内に供給される。このとき、上記タブ３の内にあった空気はインレッドベローズ管２５を通して給水される水と洗剤の量だけ通風ベローズ２０２に排出されて、排出された空気は上記通気管２０３と凝縮用貯蔵水（Ｗ）を通った後、洗剤ポケット１００の上部に排出される。
【００４８】
そして、煮沸洗濯や乾燥を行う場合、タブ内の蒸気は通風ベローズ２０２と通気管２０３を経て、凝縮用プール２１０に貯蔵された凝縮用貯蔵水（Ｗ）に流入され、一定圧以上の蒸気圧は凝縮用貯蔵水（Ｗ）を押し出しながら洗剤ポケット１００の上部に排出され、蒸気は凝縮されて凝縮用プール２１０に貯蔵される。
【００４９】
ここで、凝縮用プール２１０に所定量以上の凝縮用水が貯蔵されると、連通路２１１を通して主洗剤用プール１０１にあふれて、排水口１０７とインレッドベローズ管２５を通してタブ３の内に流れ込む。
【００５０】
図１４と図１５は本発明による洗剤供給装置のさらに他の実施形態を表わす図である。この実施形態の洗剤供給装置は前述した実施形態の洗剤供給装置と類似の形態で洗剤ポケット１００に主洗剤用プール１０１と予備洗剤用プール１０２が形成されて、予備洗剤用プール１０２の側部にボックス安置部１６０が形成されている。このボックス安置部１６０には柔軟剤または漂白剤などの洗濯補助剤を貯蔵することができ、別の分離可能な洗濯補助剤供給ボックス３００を設置するように構成されている。
【００５１】
本実施形態は洗剤ポケット１００の上端面の周りに沿って蓋フレーム４０が装着されている。蓋フレーム４０の片側には回転して洗剤ポケット１００を開閉する蓋５０が回転自在に設置されている。
【００５２】
この実施形態の洗剤供給装置も先の実施形態の洗剤供給装置と同じく、主洗剤用プール１０１、予備洗剤用プール１０２、洗濯補助剤供給ボックス３００に水を溢れさせて供給するように構成されている。図に示していないが、各洗剤用プール（１０１、１０２）及び洗濯補助剤供給ボックス３００に水を溢れさせて供給するための貯水用プール、及びその他の構成要素の構造は、前記した実施形態の貯水用プール及びその他の構成要素の構成によるので、その詳細な説明は省略する。
【００５３】
洗濯補助剤供給ボックス３００は上端面が開放されるように形成されて洗濯補助剤を貯蔵する本体３０１と、ボックス本体３０１のコーナ部に設置され、本体３０１内に供給された水と洗剤が混合した状態で外部に排出されるようにするサイホン管３０３及びサイホンカバー３０４からなる。本体３０１の底部面の中央には、ボックス本体３０１をボックス安置部１６０上に固定させるための挿入溝部３０２が形成されている。
【００５４】
本体３０１の挿入溝部３０２は、洗濯補助剤供給ボックス３００をボックス安置部１６０上に安着させた時、ボックス安置部１６０に突き出すように形成された固定突起１６１が挿入されることで固定される。固定突起１６１の幅は上記挿入溝部３０２の幅より小さくして上記洗濯補助剤供給ボックス３００を設置し易くすることが望ましい。
【００５５】
挿入溝部３０２を固定突起１６１に入れてボックス本体３０１をボックス安置部１６０に固定する時、洗濯水及び洗剤排出のうえで、ボックス本体３０１はボックス安置部１６０の上面とある程度間隔を維持して空間を形成することが望ましい。そのため、ボックス安置部１６０の後方にはボックス本体３０１の後方部を支持する端突起部１６２が突き出するように形成されている。一方、ボックス安置部１６０の前方側にはボックス本体３０１の前方部を支持するための第１傾斜部１６３が形成されている。ボックス本体３０１の前方には第１傾斜部１６３に対応した第１傾斜部１６３に係合する第２傾斜部３０５が形成されている。
【００５６】
サイホン管３０３及びサイホンカバー３０４は、ボックス安置部１６０の外側に位置するようにし、ボックス本体３０１の後方部をボックス安置部１６０の外に延びださせ、サイホン管３０３及びサイホンカバー３０４が本体３０１の最後方側に配置されることが望ましい。
【００５７】
図１６と図１７は上記のようなボックス安置部１７０に載せられる洗濯補助剤供給ボックスの他の実施形態を示したものである。この実施形態の洗濯補助剤供給ボックス３１０の本体３１１は後方側コーナ部に形成されたサイホン管３１３のサイホンホール３１４に向けて底面３１５が対角線方向に下向き傾斜するように形成されている。サイホンホール３１４の反対側には傾斜補正用リブ３１６が形成されている。
【００５８】
ボックス本体３１１は、サイホンホール３１４の近くの隅部３１７がボックス安置部１７０の片側に突き出した第１端突起部１７１上に載せられて支持されて、かつ、傾斜補正用リブ３１６の下端部が上記第１端突起部１７１に対向する側に突き出ている第２端突起部１７２の上に載せられ、全体的には水平な位置を維持する。
【００５９】
上記のような洗濯補助剤供給ボックス３１０は、本体３１１の底面３１５がサイホン管３１３の方に傾いているので本体３１１内に供給された水と洗剤の混合流体が更に円滑に排出されることができるという利点を持つ。
【００６０】
一方、上記のようにボックス本体の底面を傾けないで図１８に図示したように水平に構成させて、洗濯補助剤供給ボックス３２０の本体３２１をボックス安置部１７０に設けた第１、２端突起部（１７１、１７２）に載せて本体を固定することもできる。
【００６１】
図１９ないし図２１は前記したような洗濯補助剤供給ボックスのさらに他の実施形態を示したものである。この実施形態の洗濯補助剤供給ボックス３４０は異なる２種類の洗濯補助剤を同時に供給するようにボックスの本体３４１を区画板３４９によって２部分（３４２、３４３）に分割し、その分割された各部分（３４２、３４３）の後方部にサイホンホール３４７が形成されたサイホン管３４５を別々に設けている。
【００６２】
そして、分割された本体部分の一方３４３にボックス安置部１６０上に突き出した固定突起１６１に挿入される挿入溝部３４４が形成されている。
【００６３】
上記区画板３４９の高さはボックス本体３４１の高さと等しくてもよいが、図２１に図示したように区画板３４９の高さを本体３４１の高さより少し高く形成して、本体３４１が移動するときに、上記区画板３４９の先端部と接触する掛止片４５を蓋フレーム４０の内側に下方へ突き出すように形成することで、洗濯及び脱水時の震動によって洗濯補助剤供給ボックス３４０が離脱することを防止することができる。
【００６４】
図２２ないし図２５は本発明による洗剤供給装置の洗剤ポケットを開閉する蓋及び蓋フレームの一実施形態の構造を詳しく示したものである。洗濯機のトッププレート２の一部に、主洗剤用プール１０１と予備洗剤用プール１０２が分離するように区切られた洗剤ポケット１００が設置されている。この洗剤ポケット１００の上端の周縁部に沿って四角枠形状の蓋フレーム２４０が装着されている。蓋フレーム２４０の一辺に洗剤ポケット１００を開閉する蓋５０が回転可能に設置されている。
【００６５】
蓋５０は一辺に沿ってヒンジ軸部５３が一体に形成されて、そのヒンジ軸部５３の両端に蓋フレーム２４０に回転可能に結合させるヒンジ突起５５が突き出るように形成されて構成される。
【００６６】
蓋５０のヒンジ軸部５３の向かい側にはふくらむように取っ手部５２を形成し、ユーザーが取っ手部５２に指などを入れて蓋５２を容易に回転させて開閉作動させることができるようになっている。
【００６７】
蓋フレーム２４０は、蓋５０の双方のヒンジ突起５５が挿入されて結合されるヒンジ収容溝２４６が形成されており、蓋フレーム２４０の開放部２４２を横切るように２つの補強フレーム２４５を備えている。
【００６８】
補強フレーム２４５はプールカバー１５０と等しい位置に形成され、蓋フレーム２４０の強度を補強すると共に、図２５に詳しく図示したように上側から下側に行くほど幅が広くなる三角状の断面で各洗剤用プール（１０１、１０２、１０３）への洗剤投入を容易にする役割を行う。
【００６９】
すなわち、補強フレーム２４５は下側に徐々に広くなるから、補強フレーム２４５上に落ちた洗剤または柔軟剤／漂白剤などの洗濯補助剤は補強フレーム２４５にくっつかず、洗剤ポケット１００の所望する洗剤用プールに案内することができる。
【００７０】
図２６と図２７は上記のような蓋及び蓋フレームの変形例を示したもので、蓋５５０が蓋フレーム５４０と結合して洗剤ポケット１００を閉鎖した状態の図である。
【００７１】
図２６と図２７に示したように、この実施形態の蓋５５０と蓋フレーム５４０は、洗濯及び脱水の時、震動によって蓋５５０が震えるのを防止するようにしたもので、蓋５５０の片側の縁部に直三角形の第１結合突起５５５を形成し、蓋フレーム５４０の片側の縁部に、上記第１結合突起５５５と対応して結合する第２結合突起５４５を形成したものである。
【００７２】
したがって、蓋５５０を押して閉めれば、第１結合突起５５５の傾いた部分が第２結合突起５４５の傾いた部分を押しながら乗り越えて第１結合突起５５５の垂直な面が第２結合突起５４５の垂直な面にかかって結合される。このような蓋５５０の第１結合突起５５５と、蓋フレーム５４０の第２結合突起５４５の結合によって、蓋５５０を蓋フレーム５４０に着脱可能な状態で固定させることができる。
【００７３】
蓋５５０を開こうとする場合には、ユーザーが取っ手部５５２を取って引けば蓋５５０と蓋フレーム５４０の結合された部分がお互いに押されながら第１結合突起５５５と第２結合突起５４５との結合が解除され、蓋５５０が自由な状態になる。
【００７４】
前記したものとは異なり、図２８に示したように蓋６５０の片側の縁部に第１磁性体６５５を設置して、蓋フレーム６４０に上記第１磁性体６５５に対応して結合する第２磁性体６４５を設置することで蓋６５０を蓋フレーム６４０に固定させるようにしてもよい。詳しい説明はしなかったが、その他の公知の他の結合手段を適切に使用して蓋と蓋フレームを簡単に固定及び開放させることができる。
【００７５】
図２９は本発明による洗剤供給装置の更に異なる実施形態を示したもので、この実施形態の洗剤供給装置は洗剤ポケット１００の下側から洗剤ポケットに液体洗剤を供給するようにしたものである。
【００７６】
この実施形態の洗剤供給装置も、やはり前記した洗剤供給装置の実施形態と同じく洗剤ポケット１００に粉末洗剤が貯蔵される主洗剤用プール１０１、予備洗剤用プール１０２、洗濯補助剤用プール１０３が区画されており、一方の側面上側に各貯水用プール（図示せず）に水を供給する給水口１４１が形成されて、別の側面に洗剤及び洗濯水が排出される排水口１０７が形成されている。
【００７７】
洗剤ポケット１００の排水口１０７の近くの底面部に液体洗剤の供給のための供給ホール４０１を有し、供給ホール４０１を通して液体洗剤を供給する液体洗剤供給手段４００が設置される。
【００７８】
供給ホール４０１の横には、液体洗剤供給手段４００を洗剤ポケット１００に結合させるための締結孔が形成されたボス４１１が形成される。
【００７９】
液体洗剤を供給するための液体洗剤供給手段４００は、液体洗剤が収納される液体洗剤貯蔵タンク４６０と、液体洗剤貯蔵タンク４６０内の液体洗剤をポンピングするポンプ４５０と、ポンプ４５０によってポンピングした液体洗剤を洗剤ポケット１００の排出口に導くように供給ホール４０１に連結された連結管４３０と、連結管４３０内に設置されて液体洗剤が洗剤ポケット１００の方にだけ供給されるようにすると同時に、液体洗剤の硬化を防止する役目をする逆止弁４２０とから構成されている。
【００８０】
液体洗剤貯蔵タンク４６０、ポンプ４５０、連結管４３０は連結ホース４４２によって繋がれ、連結管４３０の下端部と連結ホース４４２の上端部はクランプ４４１によって固定されている。
【００８１】
連結管４３０はその外周面からボス４１１の締結孔４１２と対応する締結孔４３３が形成された固定端４３２が突き出ており、ボス４１１の締結孔４１２と固定端４３２の締結孔４３３を通してボルト４３４を挿入して締結することで連結管４３０を洗剤ポケット１００の下部に固定させる。
【００８２】
逆止弁４２０は連結管４３０の内に設置される中空の円筒状バルブボディー４２１と、バルブボディー４２１の中空部内に上下に移動可能に設置され、バルブボディー４２１の中空部上端を開閉するバルブ部４２２と、バルブ部４２２に下方へ向かう弾性力を与え、バルブ部４２２を弾性的に支持する弾性部４２３から構成される。
【００８３】
上記のように構成された洗剤供給装置で液体洗剤を供給しようとする場合、液体洗剤貯蔵タンク４６０に貯蔵された液体洗剤がポンプ４５０の作動によって連結ホース４４２に沿って移動し、連結管４３０内の逆止弁４２０に流入されて、次いで逆止弁４２０の弾性部４２３の弾性力に抗してバルブ部４２２を上向きに移動させる。
【００８４】
上記のように、バルブ部４２２の上向き移動によってバルブボディー４２１の中空部上端が開放されることによって、供給ホール４０１が開放されて液体洗剤が供給ホール４０１を通して洗剤ポケット１００内に流入し、継いで洗剤ポケット１００に沿って流れる水によって液体洗剤が排水口１０７を通してタブ（３；図２参照）内に流入する。
【００８５】
上記ポンプ４５０による液体洗剤の供給を中断すると、バルブ部４２２は弾性部４２３の弾性力によって原位置に復帰してバルブボディー４２１の中空部上端を閉鎖し、粉末洗剤及び／または洗濯水が連結管４３０及び連結ホース４４２内に流入するのを防ぐと同時に、液体洗剤供給手段４００内部を蜜閉するようにして液体洗剤が硬化されないようにする。
【００８６】
以上、本発明によれば、洗濯水を洗剤が貯蔵された部分で噴射するか、直接供給せず貯水用プールに１次的に給水をした後、洗剤が貯蔵された部分で水をあふれさせて洗剤を供給するので、洗剤供給装置に貯蔵された洗剤が周辺にはねるなどの現象がなくなる。従って、タブ内に定量の洗剤供給が可能で、洗剤供給装置を清潔に維持することができる。
【００８７】
また、残水排出用スリット溝を通して貯蔵用プールに貯蔵される大部分の水が排出されるので、洗剤供給装置内に残水が残らず、長期不使用による残水の腐食や冬季凍破を防止することができる利点を得ることができる。
【００８８】
さらに、洗剤及び洗濯水をタブに供給する過程でタブ内の空気が通風ベローズ管などを通して洗剤供給装置に排出されるので、タブ内の圧力上昇が防止されて円滑な洗剤及び洗濯水供給が可能となる利点を得ることができる。
【００８９】
さらに、洗剤供給装置に柔軟剤及び／または漂白剤などの洗濯補助剤を別に供給することができ、自動的に多様な洗濯を遂行することができるので、ユーザーの便宜性が向上し、これと共に液体洗剤供給手段を利用して洗剤供給装置の下部から液体洗剤を容易に供給して望みの洗剤を適時供給できるので、洗濯效率を更によくすることができる利点を得ることができる。
【００９０】
上記以外にも、洗剤供給装置がキャビネットの上部トッププレートに固定されて洗剤を供給することができるので、洗剤供給装置の構造が簡単であり、洗剤投入作動を簡単に遂行することができるという利点がある。
【産業上利用可能性】
【００９１】
前記したように、本発明の洗剤供給装置は、ドラムタイプ洗濯機に適用されたもので説明したが、必ずこれに限定されたものではなく、ドラムタイプ洗濯機以外にもドラムが垂直な軸を中心に回転する洗濯機など全ての種類の洗濯機に同一または類似に適用することができる。
【図面の簡単な説明】
【００９２】
【図１】本発明による洗剤供給装置を示す洗濯機の斜視図である。
【図２】図１の洗濯機の一部分を切開して示した要部断面図である。
【図３】本発明による洗剤供給装置の一実施形態を示した斜視図である。
【図４】図３の洗剤供給装置の分解斜視図である。
【図５】図３の洗剤供給装置のプールカバーの底面部構造を示した斜視図である。
【図６】図３のＡ−Ａ線断面図である。
【図７】図３のＢ−Ｂ線断面図である。
【図８】図３のＣ−Ｃ線断面図である。
【図９】図３のＤ−Ｄ線断面図である。
【図１０】図３のＥ−Ｅ線断面図である。
【図１１】図７の対応図で、本発明の洗剤供給装置の他の実施形態を示した断面図である。
【図１２】本発明による洗剤供給装置のさらに他の実施形態を示した斜視図である。
【図１３】図１２の洗剤供給装置の要部断面図である。
【図１４】本発明による洗剤供給装置のさらに他の実施形態を示した斜視図である。
【図１５】図の洗剤供給装置のＩ−Ｉ線断面図である。
【図１６】は本発明による洗剤供給装置のさらに他の実施形態を示した斜視図である。
【図１７】図６の洗剤供給装置の要部断面図である。
【図１８】図６の対応図で、本発明による洗剤供給装置のさらに他の実施形態の要部断面図である。
【図１９】本発明による洗剤供給装置のさらに他の実施形態を示した斜視図である。
【図２０】図１９の洗剤供給装置の洗濯補助剤供給ボックスの構造を示した斜視図である。
【図２１】図１９の洗剤供給装置の要部断面である。
【図２２】本発明による洗剤供給装置の蓋及び蓋フレームの一実施形態の構造を示した斜視図である。
【図２３】図２２の蓋の構造を示した斜視図である。
【図２４】図２２の蓋フレームの構造を示した斜視図である。
【図２５】図２２のII−II線断面図である。
【図２６】本発明による洗剤供給装置の蓋及び蓋フレームの他の実施形態を示した斜視図である。
【図２７】図２６の蓋及び蓋フレームの間の固定状態を示すもので、図１２６のIII−III断面面図である。
【図２８】図２７に示した蓋及び蓋フレームの変形実施形態を示した断面図である。
【図２９】本発明による洗剤供給装置のさらに他の実施形態を示した底面斜視図である。
【図３０】図２９の洗剤供給装置の主要部分を示した要部断面図である。
【図１】
2005514133.tif 000003
【図２】
2005514133.tif 000004
【図３】
2005514133.tif 000005
【図４】
2005514133.tif 000006
【図５】
2005514133.tif 000007
【図６】
2005514133.tif 000008
【図７】
2005514133.tif 000009
【図８】
2005514133.tif 000010
【図９】
2005514133.tif 000011
【図１０】
2005514133.tif 000012
【図１１】
2005514133.tif 000013
【図１２】
2005514133.tif 000014
【図１３】
2005514133.tif 000015
【図１４】
2005514133.tif 000016
【図１５】
2005514133.tif 000017
【図１６】
2005514133.tif 000018
【図１７】
2005514133.tif 000019
【図１８】
2005514133.tif 000020
【図１９】
2005514133.tif 000021
【図２０】
2005514133.tif 000022
【図２１】
2005514133.tif 000023
【図２２】
2005514133.tif 000024
【図２３】
2005514133.tif 000025
【図２４】
2005514133.tif 000026
【図２５】
2005514133.tif 000027
【図２６】
2005514133.tif 000028
【図２７】
2005514133.tif 000029
【図２８】
2005514133.tif 000030
【図２９】
2005514133.tif 000031
【図３０】
2005514133.tif 000032
【国際調査報告】
2005514133.tif 000033
2005514133.tif 000034